(57)【特許請求の範囲】
【請求項１】
吊戸棚の下面に設けられる昇降棚であって、
上面に開口を有する収納箱と、
前記収納箱を、前記吊戸棚の下面直下の上昇位置と、前記上昇位置よりも下方の下降位置との間で昇降させる昇降リンクと、
前記収納箱に設けられた照明具と、
前記照明具に電力を供給する電源ケーブルと、を備え、
前記昇降リンクは、
上下端が前記吊戸棚及び前記収納箱に回動可能に接続された第１リンクアームと、
上下端が前記吊戸棚及び前記収納箱に回動可能でかつスライド可能に接続され、長手方向中途部が前記第１リンクアームに回動可能に接続された第２リンクアームと、を有し、
前記第１及び第２リンクアームのうち前記第１リンクアームのみの長手方向に沿って前記電源ケーブルを配線するための配線部材が設けられている昇降棚。
【請求項２】
前記配線部材は、
前記第１リンクアームの上端近傍において前記電源ケーブルを巻き掛け状態に保持する上端保持部と、
前記第１リンクアームの下端近傍において前記電源ケーブルを巻き掛け状態に保持する下端保持部と、
前記第１リンクアームの長手方向の一部を被覆するように当該第１リンクアームに取り付けられたケーブル固定具と、を有する請求項１に記載の昇降棚。
【請求項３】
前記ケーブル固定具は、
前記第１リンクアームと前記第２リンクアームを互いに回動自在に接続する回動軸を径方向に迂回するように、前記電源ケーブルをガイドする空間を有する請求項２に記載の昇降棚。
【発明の詳細な説明】
【技術分野】
【０００１】
本発明は、システムキッチンの吊戸棚の下面等に設けられる昇降棚に関する。
【背景技術】
【０００２】
システムキッチン等において、空間の有効活用のために吊戸棚の下面に昇降棚が設けられることがある。
上記昇降棚は、収納箱と、前記収納箱と吊戸棚の下面とを連結し当該収納箱を昇降させる昇降リンクとを備えている（例えば、特許文献１参照）。
【先行技術文献】
【特許文献】
【０００３】
【特許文献１】特開２０１３−１５８３５５号公報
【発明の概要】
【発明が解決しようとする課題】
【０００４】
システムキッチン等の吊戸棚の下面には、当該システムキッチンを使用する使用者の手元を照らすための照明具が設けられることがある。
ここで、上記昇降棚が設けられている吊戸棚の場合、同様の照明具を設けようとすると、昇降棚の収納箱の下面に設けることが考えられる。
【０００５】
この場合、照明具に給電するために収納箱に電源ケーブルを延ばす必要が生じるが、収納箱は昇降動作するため、電源ケーブルは収納箱の昇降動作に追従する必要がある。このため、例えば、カールコード等、伸縮自在の電源ケーブルを吊戸棚の下面側から下方に垂下させ、収納箱の照明具に電力供給することが考えられる。
しかし、電源ケーブルを垂下させたとすると外観上の収まりが悪く、見栄えが悪化するばかりか、電源ケーブルが揺動することで収納箱の動作に影響を与える可能性もある。
【０００６】
本発明はこのような事情に鑑みてなされたものであり、昇降する収納箱に延ばされる電源ケーブルを適切に収めることができる昇降棚を提供することを目的とする。
【課題を解決するための手段】
【０００７】
上記目的を達成するための本発明に係る昇降棚は、吊戸棚の下面に設けられる昇降棚であって、上面に開口を有する収納箱と、前記収納箱を、前記吊戸棚の下面直下の上昇位置と、前記上昇位置よりも下方の下降位置との間で昇降させる昇降リンクと、前記収納箱に設けられた照明具と、前記照明具に電力を供給する電源ケーブルと、を備え、前記昇降リンクは、上下端が前記吊戸棚及び前記収納箱に回動可能に接続された第１リンクアームと、上下端が前記吊戸棚及び前記収納箱に回動可能でかつスライド可能に接続され、長手方向中途部が前記第１リンクアームに回動可能に接続された第２リンクアームと、を有する。そして、前記第１及び第２リンクアームのうち前記第１リンクアームのみの長手方向に沿って前記電源ケーブルを配線するための配線部材が設けられている。
【０００８】
上記構成の昇降棚によれば、第１及び第２リンクアームのうち第１リンクアームのみの長手方向に沿って電源ケーブルを配線するための配線部材が設けられているので、電源ケーブルの揺動を防止し電源ケーブルを適切に収めることができる。
【０００９】
上記構成の昇降棚において、前記配線部材は、前記第１リンクアームの上端近傍において前記電源ケーブルを巻き掛け状態に保持する上端保持部と、前記第１リンクアームの下端近傍において前記電源ケーブルを巻き掛け状態に保持する下端保持部と、前記第１リンクアームの長手方向の一部を被覆するように当該第１リンクアームに取り付けられたケーブル固定具と、を有することが好ましい。
この場合、電源ケーブルを第１リンクアームの回動に従って当該第１リンクアームの上端及び下端で屈曲可能に配線できるので、電源ケーブルは伸縮せずとも収納箱の昇降動作に追従することができる。
【００１０】
上記構成の昇降棚において、前記ケーブル固定具は、前記第１リンクアームと前記第２リンクアームを互いに回動自在に接続する回動軸を径方向に迂回するように、前記電源ケーブルをガイドする空間を有することが好ましい。
この場合、電源ケーブルが回動軸を径方向に迂回するようにガイドされるので（図４及び図８参照）、電源ケーブルが回動軸の軸方向に膨れて昇降棚の収容空間が侵食されるのを抑制することができる。
【発明の効果】
【００１１】
以上のように、本発明の昇降棚によれば、昇降する収納箱に延ばされる電源ケーブルを適切に収めることができる。
【図面の簡単な説明】
【００１２】
【図１】本発明の一実施形態による昇降棚が設けられたシステムキッチンの正面図である。
【図２】開状態にある昇降棚の斜視図である。
【図３】昇降リンクの拡大図である。
【図４】図３中、矢印Ｙの方向に沿って昇降棚を見たときの図である。
【図５】（ａ）は、図４中、Ａ−Ａ線断面を矢印の方向から見たときの断面図、図５（ｂ）は、図４中、Ｂ−Ｂ線断面を矢印の方向から見たときの断面図である。
【図６】図４中、Ｃ−Ｃ線断面を矢印の方向から見たときの断面図である。
【図７】下端保持部を下側ブラケットの内側面側から見たときの斜視図である。
【図８】昇降棚を閉状態としたときの電源ケーブルの状態を示した図である。
【発明を実施するための形態】
【００１３】
次に、本発明の好ましい実施形態について添付図面を参照しながら説明する。
〔昇降棚の全体構成〕
図１は、本発明の一実施形態による昇降棚が設けられたシステムキッチンの正面図である。このシステムキッチン１は、上面にシンクが設けられたキャビネット２と、キャビネット２の上方に３台並べて配置され壁面に固定されている吊戸棚３とを備えている。
吊戸棚３の下面３ａには、昇降棚１０が設けられている。
【００１４】
昇降棚１０は、吊戸棚３の下面３ａに設けられた一対の上側ブラケット１１と、上面が開口した収納箱１２と、上側ブラケット１１と収納箱１２とを連結している一対の昇降リンク１３とを備えている。
昇降リンク１３は、上端が上側ブラケット１１に接続され、下端が収納箱１２に接続されている。昇降リンク１３は、当該昇降リンク１３が有するリンク機構によって収納箱１２を、吊戸棚３の下面３ａ直下の上昇位置と、上昇位置よりも下方の下降位置との間で昇降させる機能を有している。
【００１５】
収納箱１２は、その内部に収納物が収納される箱状の部材であり、金属あるいは樹脂等で形成されている。
図１中、３つの昇降棚１０の内、紙面左側の昇降棚１０の収納箱１２は、下降位置にあり、紙面右側及び中央の昇降棚１０の収納箱１２は、上昇位置にある。
上昇位置にある収納箱１２は、両ブラケット１１を内部に収納しつつ、上面が吊戸棚３の下面３ａに当接した状態で維持され吊戸棚３の下面３ａ直下に収まる。つまり、収納箱１２が上昇位置にあるとき、昇降棚１０は収納箱１２の開口が塞がれた閉状態である。
【００１６】
一方、下降位置にある収納箱１２は、システムキッチン１の使用者が収納箱１２の内部の収納物の出し入れが可能な位置まで下方に降下する。この場合、昇降棚１０は収納箱１２の開口から収納物の出し入れが可能な開状態である。
【００１７】
図２は、開状態にある昇降棚１０の斜視図である。
図２に示すように、収納箱１２は、システムキッチン１において当該システムキッチン１の使用者が立つ側である前方向寄りに斜め下方に降下する。
収納箱１２の下面１２ａ最前部には、当該収納箱１２を昇降させるための取手１６が設けられている。さらに取手１６の直後には、吊戸棚３の下側部分を照らすための照明具１５が設けられている。
この照明具１５は、例えば、薄型のＬＥＤライトが用いられており、収納箱１２に収納可能な収納量を減らすことなく設けられている。
【００１８】
照明具１５に電力を供給するための電源ケーブルは、図１及び図２中、紙面右側の昇降リンク１３に沿って配線されている。この電源ケーブルについては後に詳述する。
【００１９】
図３は、昇降リンク１３の拡大図であり、図４は、図３中、矢印Ｙの方向に沿って昇降棚１０を見たときの図である。なお、図３及び図４中の昇降リンク１３は、図１及び図２中、紙面右側の昇降リンク１３を示している。
【００２０】
図３及び図４に示すように、昇降リンク１３は、第１リンクアーム２０と、第２リンクアーム２１とを備えている。
第１リンクアーム２０及び第２リンクアーム２１は、樹脂や金属によって形成された板状の棒材である。両リンクアーム２０、２１は、上端が上側ブラケット１１の支持部１１ａ（図３）に接続され、下端が収納箱１２の側板１２ｂの内側に設けられた下側ブラケット１４に接続されている。
【００２１】
第１リンクアーム２０は、第２リンクアーム２１の長手方向の中間部分に突設された回動軸２１ａに回動可能に取り付けられている。よって、第１リンクアーム２０と、第２リンクアーム２１とは回動軸２１ａを中心として交差した状態で相対回動可能である。
【００２２】
第１リンクアーム２０は、上端が支持部１１ａの前部側に設けられた回動軸２２に回動可能に接続されるとともに、下端が下側ブラケット１４の後部に設けられた回動軸２３に回動可能に接続されている。このように、第１リンクアーム２０は、上端が吊戸棚３の下面３ａ前部に回動可能に接続されるとともに、下端が収納箱１２の後部に回動可能に接続されており、収納箱１２の昇降移動に応じて回動する。
【００２３】
第１リンクアーム２０の上端には、当該第１リンクアーム２０の長手方向に対して直交する方向に突出した突出部２０ａが形成されている。突出部２０ａの先端には、一端部が支持部１１ａから突出した固定軸２４に接続されたダンパ２５の他端部が接続されている。
ダンパ２５は、突出部２０ａに接続されることで、第１リンクアーム２０の回動動作を緩衝し、収納箱１２の昇降動作を緩衝する。
【００２４】
第２リンクアーム２１は、上端が支持部１１ａに設けられた回動軸２６に回動可能に接続されるとともに、下端が下側ブラケット１４に設けられた回動軸２７に回動可能に接続されている。
第２リンクアーム２１の上端が接続されている回動軸２６は、当該支持部１１ａに設けられたスリット２８に沿って前後方向に移動可能とされている。これにより、第２リンクアーム２１の上端は、第１リンクアーム２０の上端に対して前後方向に相対移動可能とされている。
また、第２リンクアーム２１の下端が接続されている回動軸２７は、下側ブラケット１４に設けられたスリット２９に沿って前後方向に移動可能とされている。これにより、第２リンクアーム２１の下端は、第１リンクアーム２０の下端に対して前後方向に相対移動可能とされている。
【００２５】
図３及び図４に示す開状態から収納箱１２を上昇させて閉状態となる際、第１リンクアーム２０は後方側に回動し、閉状態ではほぼ水平となる。
一方、第２リンクアーム２１は、第１リンクアーム２０の回動に応じて回動するとともに、上端が接続されている回動軸２６をスリット２８における前部から後部の位置に移動させ、下端が接続されている回動軸２７をスリット２９における後部から前部の位置に移動させる。
これによって、第１リンクアーム２０及び第２リンクアーム２１は、回動軸２１ａを中心として相対回動しつつ、互いに交差した状態で上方向に折り畳まれるように回動する。
【００２６】
この結果、第１リンクアーム２０及び第２リンクアーム２１は、それぞれがほぼ水平状態となる位置で、収納箱１２を閉状態となる上昇位置まで上昇させる。
以上のようにして、昇降リンク１３は、収納箱１２をほぼ水平状態に維持しつつ、収納箱１２を上昇位置と、下降位置との間で昇降させることができる。
【００２７】
〔電源ケーブルの配線について〕
図３及び図４に示すように、照明具１５に電力を供給するための電源ケーブル４０は、昇降リンク１３に沿って配線されている。
電源ケーブル４０は、図示しない電源端子から延ばされ、吊戸棚３の下面３ａから昇降棚１０に引き込まれている。
電源ケーブル４０は、上側ブラケット１１の内部を通過し、第１リンクアーム２０に沿って収納箱１２の内部に導かれ、収納箱１２の下面１２ａに設けられた照明具１５に接続されている。
【００２８】
電源ケーブル４０は、上側ブラケット１１の内部において、上側ブラケット１１の外板１１ｂの内側面１１ｂ１に設けられた一対の円筒状のガイド突起３１と、第１ガイド壁３２と、上端保持部３３と、第２ガイド壁３４と、ガイド突起３１及び上端保持部３３の間の箇所に設けられたガイド部３５によって保持されている。
【００２９】
吊戸棚３の下面３ａから延びる電源ケーブル４０は、一対のガイド突起３１の間を通過し、第１ガイド壁３２及び第２ガイド壁３４に沿って、上側ブラケット１１の前部側まで案内されている。
第１ガイド壁３２は、ガイド突起３１近傍からガイド部３５近傍にまで亘って設けられている壁状の突起であり、外板１１ｂに一体に形成されている。
第１ガイド壁３２は、その上面側に電源ケーブル４０を沿わせて保持している。第１ガイド壁３２は、ガイド突起３１との間、及びガイド部３５との間に電源ケーブル４０を通過させつつ挟んで保持することができる程度のすき間を形成している。
電源ケーブル４０は、ガイド突起３１と第１ガイド壁３２との間、及びガイド部３５と第１ガイド壁３２との間で保持されて上端保持部３３側に導かれている。
【００３０】
第２ガイド壁３４は、第１ガイド壁３２の端部３２ａに対して所定の間隔を置いた地点から上端保持部３３にまで亘って設けられている壁状の突起であり、外板１１ｂに一体に形成されている。
第２ガイド壁３４は、その下面側に電源ケーブル４０を沿わせて保持している。第２ガイド壁３４は、上端保持部３３との間に電源ケーブル４０を通過させつつ挟んで保持することができる程度のすき間を形成している。また、第２ガイド壁３４は、上端保持部３３を中心に下方向に曲げられており、電源ケーブル４０を下方向に案内している。
【００３１】
吊戸棚３の下面３ａから延びる電源ケーブル４０は、ガイド突起３１と第１ガイド壁３２とのすき間を通過した後、ガイド部３５と第１ガイド壁３２とのすき間を通過する。さらに、電源ケーブル４０は、第２ガイド壁３４の下面側に沿って延び、上端保持部３３に巻き掛けられ、第１リンクアーム２０に沿って下側に導かれる。
【００３２】
上端保持部３３は、第１リンクアーム２０の上端近傍に設けられている。上端保持部３３は、円筒状に形成された突起であり、その外周面３３ａには、上述のように電源ケーブル４０が巻き掛けられる。
上端保持部３３は、第２ガイド壁３４との間で電源ケーブル４０を保持しつつ、ほぼ水平に延びる電源ケーブル４０を緩やかに曲げて第１リンクアーム２０に沿うように下方向に案内している。
【００３３】
ここで、電源ケーブル４０は、後述するように第１リンクアーム２０に固定されている。よって、収納箱１２が上昇する際に第１リンクアーム２０が回動軸２２回りで上方向に回動すると、電源ケーブル４０は、その第１リンクアーム２０の回動に従って上端保持部３３の外周面３３ａに巻き付くように屈曲する。なお、電源ケーブル４０の屈曲する部分及びその前後には、当該電源ケーブル４０が屈曲することができるように適度な遊びが設けられている。
【００３４】
電源ケーブル４０が巻き掛けられる上端保持部３３の外周面３３ａの曲率半径は、外周面３３ａに巻き掛けられた電源ケーブル４０の曲率半径が、当該電源ケーブル４０の許容される屈曲半径（許容屈曲半径）よりも大きい値に保持することができる値に設定されている。
よって、電源ケーブル４０が屈曲し、上端保持部３３に密接した状態で巻き掛けられたとしても、上端保持部３３は、電源ケーブル４０の屈曲半径が当該電源ケーブル４０の許容屈曲半径よりも小さくならないように保持することができる。
【００３５】
上側ブラケット１１を通過して下方向に延びる電源ケーブル４０は、第１リンクアーム２０に固定されたケーブル固定具４１によって第１リンクアーム２０に沿って固定されている。
図５（ａ）は、図４中、Ａ−Ａ線断面を矢印の方向から見たときの断面図、図５（ｂ）は、図４中、Ｂ−Ｂ線断面を矢印の方向から見たときの断面図である。
ケーブル固定具４１は、樹脂等を用いて形成された部材であり、図５（ｂ）に示すように、断面凹側に形成され、第１リンクアーム２０の外側面２０ｂを覆っている。また、ケーブル固定具４１は、図４に示すように、第１リンクアーム２０の長手方向の一部であって回動軸２１ａを含む部分に設けられている。
【００３６】
電源ケーブル４０は、第１リンクアーム２０の外側面２０ｂと、ケーブル固定具４１との間に形成された空間Ｓを通過するように配置されている。
なお、第２リンクアーム２１に形成された回動軸２１ａの部分については、図５（ａ）に示すように、第１リンクアーム２０を回動軸２１ａに接続しているネジ２１ｂや、ワッシャ２１ｃを避けるために、空間Ｓは、回動軸２１ａの側方に設けられている。
【００３７】
図５（ｂ）に示すように、電源ケーブル４０は、第１リンクアーム２０の外側面２０ｂと、ケーブル固定具４１の内側面４１ａとの間に挟持されている。
これによって、電源ケーブル４０は、第１リンクアーム２０に沿って固定されている。
【００３８】
図４に戻って、ケーブル固定具４１を通過した電源ケーブル４０は、収納箱１２の内部に導かれ、下側ブラケット１４に設けられた下端保持部４５に巻き掛けられている。下端保持部４５に巻き掛けられた電源ケーブル４０は、底板１２ｃに沿うように前方に延びているガイド部４７を通過して、引出口４７ａから引き出され、照明具１５に接続される。
【００３９】
図６は、図４中、Ｃ−Ｃ線断面を矢印の方向から見たときの断面図であり、図７は、下端保持部４５を下側ブラケット１４の内側面１４ａ側から見たときの斜視図である。
図４、図６、及び図７を参照して、下端保持部４５は、第１リンクアーム２０の下端近傍に設けられている。下端保持部４５は、下側ブラケット１４における収納箱１２の内側に向く内側面１４ａ側に突出して一体に設けられており、上述のように電源ケーブル４０が巻き掛けられる。
下端保持部４５は、第１リンクアーム２０に沿って収納箱１２の内部に導かれた電源ケーブル４０を緩やかに曲げて底板１２ｃに沿って延びているガイド部４７に案内している。
【００４０】
下端保持部４５は、内側面１４ａ側に露出している上側保持面４５ａと、下側ブラケット１４の外側面１４ｂ側に露出している下側保持面４５ｂとを有している。下側保持面４５ｂは、外側面１４ｂに突設された壁部４８の外面によって構成されている。
【００４１】
上側保持面４５ａと、下側保持面４５ｂとは滑らかな曲面によって繋げられている。
ケーブル固定具４１から延びる電源ケーブル４０は、内側面１４ａ側において上側保持面４５ａに巻き掛けられる。さらに、電源ケーブル４０は、内側面１４ａ側から下側ブラケット１４を貫通する開口部４９を通過して外側面１４ｂ側に導かれ、上側保持面４５ａから滑らかに繋がっている下側保持面４５ｂに巻き掛けられる。下端保持部４５は、上側保持面４５ａ及び下側保持面４５ｂによって電源ケーブル４０を緩やかに曲げて案内している。
【００４２】
ここで、収納箱１２が上昇する際に第１リンクアーム２０が回動軸２２回りで上方向に回動すると、収納箱１２をほぼ平行に維持しようと第１リンクアーム２０と収納箱１２とが回動軸２３回りで相対回動する。
電源ケーブル４０は、上述のように第１リンクアーム２０に固定されている。よって、第１リンクアーム２０が回動軸２２回りで上方向に回動すると、第１リンクアーム２０と収納箱１２とが相対回動し、電源ケーブル４０は、第１リンクアーム２０と収納箱１２との相対回動に従って下端保持部４５の上側保持面４５ａ及び下側保持面４５ｂに巻き付くように屈曲する。なお、電源ケーブル４０の屈曲する部分及びその前後には、当該電源ケーブル４０が屈曲することができるように適度な遊びが設けられている。
【００４３】
上側保持面４５ａと下側保持面４５ｂとが形成している曲面の曲率半径は、上側保持面４５ａ及び下側保持面４５ｂに巻き掛けられた電源ケーブル４０の屈曲半径が、当該電源ケーブル４０の許容屈曲半径よりも大きい値に保持することができる値に設定されている。
よって、電源ケーブル４０が屈曲し、下端保持部４５に密接した状態で巻き掛けられたとしても、下端保持部４５は、電源ケーブル４０の屈曲半径が当該電源ケーブル４０の許容屈曲半径よりも小さくならないように保持することができる。
【００４４】
図８は、昇降棚１０を閉状態としたときの電源ケーブル４０の状態を示した図である。
図８に示すように、第１リンクアーム２０が回動軸２２回りに上方向に回動した状態で、電源ケーブル４０は、第１リンクアーム２０の上端近傍の部分が上端保持部３３の外周面３３ａに巻き付いて屈曲している。
また、電源ケーブル４０は、第１リンクアーム２０の下端近傍の部分が下端保持部４５の上側保持面４５ａ及び下側保持面４５ｂに巻き付いて屈曲している。
【００４５】
この場合、上述したように、上端保持部３３及び下端保持部４５は、電源ケーブル４０の屈曲半径が当該電源ケーブル４０の許容屈曲半径よりも小さくならないように保持することができるので、電源ケーブル４０が許容される屈曲半径を超えて屈曲するのを防止することができ、電源ケーブル４０の寿命低下を抑制できる。
【００４６】
以上のように、本実施形態の昇降棚１０は、上面に開口を有する収納箱１２と、収納箱１２を、吊戸棚３の下面３ａ直下の上昇位置と、前記上昇位置よりも下方の下降位置との間で昇降させる昇降リンク１３と、収納箱１２に設けられた照明具１５と、照明具１５に電力を供給する電源ケーブル４０と、を備え、電源ケーブル４０は、昇降リンク１３に沿って配線されているので、電源ケーブル４０の揺動を防止し電源ケーブル４０を適切に収めることができる。
【００４７】
また、電源ケーブル４０は、第１リンクアーム２０に沿って固定され、電源ケーブル４０を第１リンクアーム２０の回動に従って第１リンクアーム２０の上端及び下端で屈曲可能に配線されているので、電源ケーブル４０は伸縮せずとも収納箱１２の昇降動作に追従することができる。
【００４８】
なお、本発明は上記実施形態に限定されるものではない。上記実施形態では、昇降リンク１３を、互いに交差した状態で回動する第１リンクアーム２０と第２リンクアーム２１とによって収納箱１２を昇降させる構造とした場合を例示したが、これに限定されるものではなく、その他の収納箱１２を昇降可能なリンク機構であっても、そのリンク機構に沿って電源ケーブルが配線可能であればよい。
また、上記実施形態では、照明具１５として薄型のＬＥＤライトを収納箱１２の下面１２ａ前部側に設けた場合を例示したが、照明具１５としては、ＬＥＤライトに限らず、白熱電球等、他の照明具でもよい。
また、照明具１５は、収納箱１２の下面１２ａ前部側に限らず、後部側に設けてもよいし、収納箱１２の前面板に設けてもよい。
【符号の説明】
【００４９】
１  システムキッチン
２  キャビネット
３  吊戸棚
３ａ  下面
１０  昇降棚
１１  上側ブラケット
１１ａ  支持部
１１ｂ  外板
１１ｂ１  内側面
１２  収納箱
１２ａ  下面
１２ｂ  側板
１２ｃ  底板
１３  昇降リンク
１４  下側ブラケット
１４ａ  内側面
１４ｂ  外側面
１５  照明具
１６  取手
２０  第１リンクアーム
２０ａ  突出部
２０ｂ  外側面
２１  第２リンクアーム
２１ａ  回動軸
２１ｂ  ネジ
２１ｃ  ワッシャ
２２  回動軸
２３  回動軸
２４  固定軸
２５  ダンパ
２６  回動軸
２７  回動軸
２８  スリット
２９  スリット
３１  ガイド突起
３２  第１ガイド壁
３３  上端保持部
３３ａ  外周面
３４  第２ガイド壁
３５  ガイド部
４０  電源ケーブル
４１  ケーブル固定具
４１ａ  内側面
４５  下端保持部
４５ａ  上側保持面
４５ｂ  下側保持面
４７  ガイド部
４７ａ  引出口
４８  壁部
４９  開口部
【図１】
0006498928.tif 000002
【図２】
0006498928.tif 000003
【図３】
0006498928.tif 000004
【図４】
0006498928.tif 000005
【図５】
0006498928.tif 000006
【図６】
0006498928.tif 000007
【図７】
0006498928.tif 000008
【図８】
0006498928.tif 000009